(57)【要約】【課題】  デジタル放送のチャンネル情報、番組情報、放送局ロゴマークの情報等の放送情報の取得を高速に行うこと。【解決手段】  放送情報が付加された放送波の複数チャンネルの受信信号を受信して選局動作を行う３つのチューナ部２〜４と、各チューナ部で選局された受信信号から放送情報と映像・音声データとを分離する３つの多重分離部６〜８と、取得した情報を記憶する記憶部２２と、取得対象の放送情報に応じたスキャン動作を行うようにスキャン指示するシステム制御部２１と、各チューナ部に選局すべき複数のチャンネルを割当て、スキャン指示に基づいて各チューナ部に選局したチャンネルの受信信号を受信するよう制御する選局制御部５とを備え、システム制御部は各チューナ部の受信信号から各多重分離部が分離して取得したスキャン動作に応じた放送情報を記憶部の対応する部分に格納する。【選択図】        図１
2006025073.tif 000002
【特許請求の範囲】
【請求項１】
アンテナから供給された放送情報が付加された放送波の複数チャンネルの受信信号を受信して選局動作を行う複数のチューナ部と、
各チューナ部で選局された受信信号から放送情報と映像・音声データとを分離する複数の多重分離部と、
取得した情報を記憶する記憶部と、
放送波に含まれる放送情報のうち、取得対象の放送情報に応じたスキャン動作を行うようにスキャン指示するシステム制御部と、
システム制御部からのスキャン指示に基づき、各チューナ部に選局すべき複数のチャンネルを割当て、各チューナ部にスキャン動作により選局したチャンネルの受信信号を受信するよう制御する選局制御部とを備え、
システム制御部は各チューナ部が選局したチャンネルの受信信号から各多重分離部が分離して取得したスキャン動作に応じた放送情報を記憶部の対応する部分に格納するようにしたことを特徴とするデジタル放送受信システム。
【請求項２】
各チューナ部が取得する各チャンネルの放送情報が、チャンネル情報であることを特徴とする請求項１記載のデジタル放送受信システム。
【請求項３】
各チューナ部が取得する各チャンネルからの放送情報が、番組情報であることを特徴とする請求項１記載のデジタル放送受信システム。
【請求項４】
各チューナ部が取得する各チャンネルからの放送情報が、放送局のロゴマークのデータであることを特徴とする請求項１記載のデジタル放送受信システム。
【発明の詳細な説明】
【技術分野】
【０００１】
この発明は、デジタル放送受信システムに係り、更に詳しくは必要となる複数チャンネルからの情報取得動作を高速化し、操作性の向上を図るようにしたものに関する。
【背景技術】
【０００２】
従来の放送受信機は、選局可能なチャンネルを受信機に登録する時間を短縮する方法として、例えば地上波用チューナー部で地上波のチャンネルを順次選局（スキャン）、衛星放送用チューナ部で衛星放送のチャンネルのスキャンをそれぞれ並行して実施する例がある（例えば、特許文献１参照。）。
【特許文献１】特開２００２−３５３７８０号公報
【発明の開示】
【発明が解決しようとする課題】
【０００３】
上述した従来の放送受信機は、選局可能なチャンネルを受信機に登録する時間を短縮する方法として、例えば地上波用チューナー部で地上波のチャンネルを順次選局（スキャン）、衛星放送用チューナ部で衛星放送のチャンネルのスキャンをそれぞれ並行して実施するものであるが、かかる選局可能チャンネルの受信機への登録は、アナログ放送を想定しているため、デジタル放送の受信設定による、スキャンすべきチャンネル数の変化には対応していないという問題があった。
【０００４】
また、デジタル放送では、選局可能なチャンネルを受信機に登録する場合以外に、番組表の表示などに使用する番組情報や、放送局のロゴマークのデータ取得など、必要頻度やデータ取得に要する時間周期、スキャンすべきチャンネル数の異なるスキャンが必要であるが、従来の放送受信機ではそれらデジタル放送特有の条件には対応していないため、デジタル放送においては基本的には、一つのチューナ部で選局可能なチャンネルをスキャンしていたことにより、選局可能なチャンネルを受信機に登録する時間がかかるものであった。
【０００５】
さらに、番組表などの番組情報は、視聴して情報取得できていないチャンネルについては表示されない、或いは古い情報が表示されるため、新しい情報を取得するために視聴を中断しなくてはならない等の問題が生じていた。
また、放送局のロゴマークについては、一定時間以上当該放送局の番組を視聴してデータを取得するまで表示されないという問題もあった。
【０００６】
この発明は上記のような問題点を解消するためになされたもので、デジタル放送の受信可能なチャンネルのチャンネル情報、番組情報、放送局ロゴマークの情報等の放送情報の取得を高速に行うことを目的とする。
【課題を解決するための手段】
【０００７】
この発明に係るデジタル放送受信システムは、アンテナから供給された放送情報が付加された放送波の複数チャンネルの受信信号を受信して選局動作を行う複数のチューナ部と、各チューナ部で選局された受信信号から放送情報と映像・音声データとを分離する複数の多重分離部と、取得した情報を記憶する記憶部と、放送波に含まれる放送情報のうち、取得対象の放送情報に応じたスキャン動作を行うようにスキャン指示するシステム制御部と、システム制御部からのスキャン指示に基づき、各チューナ部に選局すべき複数のチャンネルを割当て、各チューナ部にスキャン動作により選局したチャンネルの受信信号を受信するよう制御する選局制御部とを備え、システム制御部は各チューナ部が選局したチャンネルの受信信号から各多重分離部が分離して取得したスキャン動作に応じた放送情報を記憶部の対応する部分に格納するようにしたことを特徴とするものである。
【発明の効果】
【０００８】
この発明のデジタル放送受信システムによれば、システム制御部が選局制御部に放送波に含まれる放送情報のうち、取得対象の放送情報に応じたスキャン動作を行うようにスキャン指示し、選局制御部はシステム制御部からのスキャン指示に基づき、各チューナ部に選局すべき複数のチャンネルを割当て、各チューナ部にスキャン動作により選局したチャンネルの受信信号を受信するよう制御し、システム制御部は各チューナ部が選局したチャンネルの受信信号から各多重分離部が分離して取得したスキャン動作に応じた放送情報を記憶部の対応する部分に格納するようにしたので、使用可能な複数のチューナ部で並行して必要な放送情報の取得を行い、取得したスキャン動作に応じた放送情報を記憶部の対応する部分に格納することにより、デジタル放送受信システムへデジタル放送の必要な放送情報の取得を高速に行うことができる。
【発明を実施するための最良の形態】
【０００９】
実施の形態１．
図１はこの発明の実施の形態１のデジタル放送受信システムの構成を示すブロック図、図２は同デジタル放送受信システムの記憶部の構成を示すブロック図、図３は同デジタル放送受信システムにおけるチャンネル・スキャンの動作を示したフローチャート、図４は同デジタル放送受信システムにおける番組情報取得の動作を示したフローチャート、図５は同デジタル放送受信システムにおける放送局ロゴマーク・データ取得の動作を示したフローチャートである。
【００１０】
図１に示すデジタル放送受信システムは、アンテナ１と、アンテナ１から供給された番組情報が付加された放送波の複数チャンネルの受信信号を受信して選局動作を行う第１から第３の３つのチューナ部２〜４と、３つのチューナ部２〜４の選局を制御する選局制御部５と、各チューナ部で選局された受信信号から番組情報と映像・音声データとを分離する第１から第３の３つの多重分離部６〜８と、３つの多重分離部６〜８の制御を行う多重分離制御部９と、各多重分離部で分離された映像・音声データを復号する第１から第３の３つ復号部１０〜１２と、３つの復号部１０〜１２の制御を行う復号制御部１３と備えている。
【００１１】
さらに、デジタル放送受信システムは、各復号部で復号された映像に、データ放送画面や受信機のメニュー画面、番組表画面などを重畳表示する第１〜第３の３つのグラフィックス重畳部１４〜１６と、３つのグラフィックス重畳部１４〜１６の制御を行うグラフィックス制御部１７と、各グラフィックス重畳部の信号を映像（音声）として表示する第１〜第３の３つの表示部１８〜２０と、選局制御部５、多重分離制御部９、復号制御部１３、グラフィックス制御部１７を統括するシステム制御部２１と、デジタル放送受信システム装置が動作する上で必要となる放送情報を記憶する記憶部２２とを備えている。
記憶部２２は受信が可能なチャンネルのチャンネル情報が登録される受信テーブル２３と、受信が可能なチャンネルの番組情報を記憶する番組情報テーブル２４と、受信が可能なチャンネルの放送局のロゴマークのデータを記憶するロゴマーク・メモリ２５とを有している。
【００１２】
そして、この実施の形態１のデジタル放送受信システムは、アンテナ１で受信したデジタル放送の信号を、３系統のチューナ部２〜４、多重分離部６〜８、復号部１０〜１２、グラフィックス重畳部１４〜１６、表示部１８〜２０で並行して処理が可能な構成となっている。
この３系統の表示部１８〜２０は、例えば、同じ家の中の異なる部屋に設置することが考えられる。例えば第１の表示部１８を視聴している視聴者は、システム制御部２１に対し好みの番組を選局指示し、その指示に基づいて第１のチューナ２は選局を行う。
同様に、第２の表示部１９を視聴する視聴者は第２のチューナ部３の選局操作を行う。仮に、第３の表示部２０を誰も視聴していない時は、第３のチューナ部４、第３の多重分離部８、第３の復号部１２、第３のグラフィックス重畳部１７は動作を休止させることができる。
【００１３】
次に、本発明の実施の形態１のデジタル放送受信システムの特徴となる動作を説明する。
地上デジタル放送では、デジタル放送受信システムが受信可能なチャンネルは、本受信システムが設置される地域によって異なるため、最初にチャンネルを順次選局（スキャン）して受信可能なチャンネルが見つかればそのチャンネル情報を受信機の記憶部２２の受信テーブル２３に登録する。
受信可能なチャンネルのチャンネル情報が全て受信テーブル２３に登録された後は、デジタル放送受信システム装置はその受信テーブル２３の情報に基づき、受信可能なチャンネルだけを選局することができる。
地上デジタル放送のチューナ部を複数備える本受信システムでは、受信可能なチャンネルを登録する場合、３つのチューナ部２〜４、３つの多重分離部６〜８でスキャンすべきチャンネルを分担することで、チャンネルスキャンに要する時間をおよそ１／３に短縮することができる。
【００１４】
上記動作を図３のフローチャートに基づいて詳細に説明する。
なお、図３の例は、図１の構成のようにチューナ部が３系統存在する場合を示している。また、スキャンの対象とするチャンネル数は、地上デジタル受信機の場合でも、ＵＨＦ帯とＣＡＴＶ帯とがあり、各チューナ部はいずれにも対応できるように構成されており、使用する環境に応じてユーザが画面操作をしてＵＨＦ帯を受信可能とするか、ＣＡＴＶ帯を受信可能とするかの切換設定を行うことができる。
従って、ユーザによるＵＨＦ帯を受信可能とするか、ＣＡＴＶ帯を受信可能とするかの設定によって１系統に割当てるチャンネル数は変化する。
【００１５】
まず、ユーザが画面でチャンネル・スキャンを選択すると、システム制御部２１がチャンネル・スキャンを選局制御部５に指示し、選局制御部５がチャンネル・スキャン動作を開始すると（ステップＳ１）、まず３つのチューナ部２〜４に対して使用可能なチューナ状態かどうかを見に行き、使用可能なチューナ状態の取得を行う（ステップＳ２）。この場合には、使用可能数は３つのチューナ部２〜４があるから、使用可能数Ｔは３となる。
次に、スキャン範囲の判断を行う（ステップＳ３）。即ち、チューナ部２〜４がＵＨＦ帯が受信可能か、ＣＡＴＶ帯が受信可能か、ユーザ設定を選局制御部５は確認する。
【００１６】
そして、ユーザによる設定がＵＨＦ帯が受信可能の場合には、ＵＨＦ帯のチャンネル数が５０ｃｈあるとすると、１〜５０ｃｈについてチャンネル・スキャンを行うが（ステップＳ４）、使用可能なチューナ部が３つあることから、選局制御部５は各チューナ部が分担するチャンネル数を計算する（ステップＳ５）。この場合、各チューナ部が分担するチャンネル数は１６強ということになる。
そこで、選局制御部５は第１のチューナ部２には１〜１７ｃｈ、第２のチューナ部３には１８〜３４ｃｈ、第３のチューナ部２には３５〜５０ｃｈを分担するように割り当て、各チューナ部に選局指示をする（ステップＳ６）。
【００１７】
また、ユーザによる設定がＣＡＴＶ帯が受信可能の場合には、ＣＡＴＶ帯のチャンネル数が１１３ｃｈあるとすると、１〜１１３ｃｈについてチャンネル・スキャンを行うが（ステップＳ７）、使用可能なチューナ部が３つあることから、選局制御部５は各チューナ部が分担するチャンネル数を計算する（ステップＳ８）。この場合、各チューナ部が分担するチャンネル数は３７強ということになる。
そこで、選局制御部５は第１のチューナ部２には１〜３８ｃｈ、第２のチューナ部３には３９〜７６ｃｈ、第３のチューナ部２には７７〜１１３ｃｈを分担するように割り当て、各チューナ部に選局指示をする（ステップＳ９）。
【００１８】
ここで、ＵＨＦ帯が受信可能の場合について説明すると、第１のチューナ部２は選局制御部５からの選局指令によりチャンネル・スキャン動作を開始し、まずｃｈ初期値の設定を行う（ステップＳ１０）。この場合、ｃｈ初期値は１ｃｈである。
次に、第１のチューナ部２は１ｃｈのチャンネルの選局を実行し（ステップＳ１１）、１ｃｈのチャンネルに放送情報の１つであるチャンネル情報（以下、「ｃｈ情報」という）を含む放送波の受信信号があるか否かを判断し（ステップＳ１２）、受信信号がある場合、第１の多重分離部６は受信信号からｃｈ情報を分離し、その受信可能なチャンネルとｃｈ情報はシステム制御部２１によって記憶部２２の受信テーブル２３に記憶される（ステップＳ１３）。ここにいうｃｈ情報とは、選局動作に必要な物理チャンネル（周波数）やトランスポート・ストリーム識別番号などの対応付けをいう。
【００１９】
次に、第１のチューナ部２はｃｈアップし（ステップＳ１４）、２ｃｈのチャンネルの選局を実行する。なお、ステップＳ１２でｃｈ情報を含む放送波の受信信号がない場合もステップＳ１４に進む。
このようにして、第１のチューナ部２は１７ｃｈのチャンネルまで、順次選局動作を実行し、あるチャンネルの選局データであるｃｈ情報が受信テーブル２３に順次記憶され、最後の１７ｃｈのチャンネルに対するチャンネル・スキャンが終了したら（ステップＳ１５）、第１のチューナ部２におけるチャンネル・スキャンは終了する。
【００２０】
第２のチューナ部３も第１のチューナ部２と同様に、ステップＳ２０〜ステップＳ２５までの手順でチャンネル・スキャンが行われる。この第２のチューナ部３の場合には、ｃｈ初期値は１８ｃｈで、最後のチャンネルは３４ｃｈである。
また、第３のチューナ部３も第１のチューナ部２と同様に、ステップＳ３０〜ステップＳ３５までの手順でチャンネル・スキャンが行われる。この第３のチューナ部３の場合には、ｃｈ初期値は３５ｃｈで、最後のチャンネルは５０ｃｈである。
【００２１】
以上は、ＵＨＦ帯が受信可能の場合の説明であるが、ＣＡＴＶ帯が受信可能の場合も各チューナ部が分担するチャンネル数が変わるだけで、チャンネル・スキャンの動作は全く同様である。
こうして３系統、即ち３つのチューナ部２〜４のチャンネル・スキャンが全て終了した時点で、全体のチャンネル・スキャンの動作が終了する（ステップＳ３６）。
【００２２】
以上のように、本発明の実施の形態によれば、第１〜第３のチューナ部２〜４にそれぞれ複数の異なるチャンネルを分担させ、使用可能な第１〜第３のチューナ部２〜４で並行してチャンネル・スキャンし、受信可能なチャンネルと必要なｃｈ情報の取得を行うようにしたので、デジタル放送受信システムへデジタル放送の必要なｃｈ情報の取得を高速に行うことができる。
【００２３】
次に、地上デジタル放送の番組表などに使用する番組情報の取得の例を図４のフローチャートに基づいて説明する。
この地上デジタル放送の放送情報の１つである番組表などに使用する番組情報は、放送局の単位で放送に多重して送出されているため、視聴をしていない局の番組情報は表示できない。
このため、視聴をしていない局についての番組表の番組情報の表示抜けや、視聴をした局でも更新が遅れて古い情報しか得られていない場合の番組の変更などにより、予約に失敗する等の問題が生じる。
そこで、複数のチューナ部の中で視聴などに使用していない系統がある場合はその系統で必要な番組情報を取得しようとしたものである。
【００２４】
図４の例は、３系統の内１系統は視聴中のため、残り２系統を用いて番組情報取得を行う場合を示している。
番組情報取得の開始条件としては、例えばユーザの操作による起動の他、あらかじめ定めた一定時刻になると毎日起動するなどの方法がある。
まず、番組情報取得が起動されると、システム制御部２１が番組情報取得のスキャンを選局制御部５に指示し、選局制御部５が番組情報の取得を開始すると（ステップＳ１０１）、まず３つのチューナ部２〜４に対して使用可能なチューナ状態かどうかを見に行き、使用可能なチューナ状態の取得を行う（ステップＳ１０２）。この場合には、第１のチューナ部２は視聴中で、第２、第３のチューナ部３、４が使用可能であるから、使用可能数Ｔは２となる。
【００２５】
番組情報の取得を行うチャンネルは、基本的には受信可能なチャンネル全てであり、チャンネル・スキャンによってｃｈ情報が受信テーブル２３に記憶されたチャンネルが対象となる（ステップＳ１０３）。ただし、取得した番組情報について取得日時などの管理を行うことにより、チャンネル毎に更新不要などの判断を加えることも可能である。
この場合、番組情報の取得が必要なチャンネルは１５ｃｈ、２１ｃｈ、２８ｃｈ、３５ｃｈであるとする。
番組情報の取得が必要なチャンネルは１５ｃｈ、２１ｃｈ、２８ｃｈ、３５ｃｈであり、使用可能な第２、第３のチューナ部の２つであることから（ステップＳ１０４）、選局制御部５は第２のチューナ部３には１５ｃｈ、２１ｃｈ、第３のチューナ部４には２８ｃｈ、３５ｃｈを分担するように割り当て、各チューナ部に選局指示をする（ステップＳ１０５）。
【００２６】
そうすると、第２のチューナ部３は選局制御部５からの選局指令によりスキャン動作を開始し、まずｃｈ初期値の設定を行う（ステップＳ１０６）。この場合、ｃｈ初期値は１５ｃｈである。
次に、第２のチューナ部３は１５ｃｈのチャンネルの選局を実行し（ステップＳ１０７）、１５ｃｈのチャンネルの放送情報の１つである番組情報を含む放送波を受信する。
第２の多重分離部６は受信信号から番組情報を取得し（ステップＳ１０８）、その番組情報はシステム制御部２１によって記憶部２２の番組情報テーブル２４に記憶される（ステップＳ１０９）。万一、停波などにより当該チャンネルの放送波が受信できない場合は、タイムアウトにより当該チャンネルの処理を終了することが望ましい。
【００２７】
次に、第２のチューナ部３はｃｈアップし（ステップＳ１１０）、２１ｃｈのチャンネルの選局を実行し、２１ｃｈのチャンネルの番組情報を含む放送波を受信する。
第２の多重分離部６は受信信号から番組情報を取得し（ステップＳ１０８）、その番組情報はシステム制御部２１によって記憶部２２の番組情報テーブル２４に記憶される（ステップＳ１０９）
こうして、最後である２１ｃｈのチャンネルに対する番組情報取得のスキャンが終了したら（ステップＳ１１１）、第２のチューナ部３における番組情報取得のスキャンは終了する。
【００２８】
第３のチューナ部４も第２のチューナ部３と同様に、ステップＳ１１２〜ステップＳ１１７までの手順で番組情報取得のスキャンが行われる。この第３のチューナ部４の場合には、ｃｈ初期値は２８ｃｈで、最後のチャンネルは３５ｃｈである。
【００２９】
こうして２系統、即ち第２と第３の２つのチューナ部３、４の番組情報取得のスキャンが終了した時点で、全体の番組情報取得のスキャンの動作が終了する（ステップＳ１１８）。
【００３０】
上述したように、３系統のチューナ部の内、休止している系統があれば、番組情報の取得が可能となる。複数のチューナ部が使用可能であれば、取得するべきチャンネルを分担することで、番組情報取得動作を短時間で終了することができる。
【００３１】
次に、地上デジタル放送局のロゴマークの取得の例を図５のフローチャートに基づいて説明する。
放送局のロゴマークのデータは、やはり当該放送局の放送番組のデータに多重されており、そのチャンネルの選局をしていなければ取得できない。
この放送局のロゴマークのデータは、番組情報と違い、頻繁に変更されるデータではないため、一度取得して、記憶部２２のロゴマーク・メモリ２５に保存すれば、マークが変更されてデータのバージョン変更が検出されるまでは、再取得の必要はない。
ロゴマークのデータの送出周期は例えば１０分程度と長いため、先に説明した受信可能チャンネル登録のためのスキャンや、番組情報取得の中では必ずしもロゴマークは取得できない。
そこで、複数のチューナ部の中で視聴などに使用していない系統がある場合はその系統で必要なロゴマークを取得しようとしたものである。
【００３２】
図５の例は、３系統の内１系統は視聴中のため、残り２系統を用いてロゴマーク取得を行う場合を示している。
ロゴマーク取得の起動条件としては、チャンネル・スキャンで受信可能チャンネルとして記憶部２２の受信テーブル２３に登録されているにもかかわらず、ロゴマーク・メモリ２５に該当するロゴマークのデータが記憶されていない場合が挙げられる。
また、ロゴマークのデータが記憶されていても、ロゴマークのデータのバージョンが古いと認識された場合も、データの更新が必要と判断する。これは取得済のロゴマークのバージョン情報と、現在の放送波の放送情報から得られる最新のロゴマークのバージョン情報とをシステム制御部２１において比較し、取得済のロゴマークのバージョンが古いと認識された場合、チャンネル毎にロゴマークの更新要のフラグを立てるなどの方法がある。
まず、システム制御部２１が放送局ロゴマーク取得のスキャンを選局制御部５に指示し、選局制御部５が放送局ロゴマークの取得を開始すると（ステップＳ２０１）、まず３つのチューナ部２〜４に対して使用可能なチューナ状態かどうかを見に行き、使用可能なチューナ状態の取得を行う（ステップＳ２０２）。この場合には、第１のチューナ部２は視聴中で、第２、第３のチューナ部３、４が使用可能であるから、使用可能数Ｔは２となる。
【００３３】
次に、選局制御部５は記憶部２２のロゴマーク・メモリ２５を見に行き、放送局ロゴマークの取得が必要なチャンネル数を探し出す（ステップＳ２０３）。この場合、ロゴマークの取得が必要なチャンネルは１５ｃｈ、１６ｃｈ、２１ｃｈ、２８ｃｈ、３５ｃｈであるとする。
ロゴマークの取得が必要なチャンネルは１５ｃｈ、１６ｃｈ、２１ｃｈ、２８ｃｈ、３５ｃｈであり、使用可能な第２、第３のチューナ部の２つであることから（ステップＳ２０４）、選局制御部５は第２のチューナ部３には１５ｃｈ、１６ｃｈ、２１ｃｈ、第３のチューナ部４には２８ｃｈ、３５ｃｈを分担するように割り当て、各チューナ部に選局指示をする（ステップＳ２０５）。
【００３４】
そうすると、第２のチューナ部３は選局制御部５からの選局指令によりロゴマーク取得のスキャン動作を開始し、まずｃｈ初期値の設定を行う（ステップＳ２０６）。この場合、ｃｈ初期値は１５ｃｈである。
次に、第２のチューナ部３は１５ｃｈのチャンネルの選局を実行し（ステップＳ２０７）、１５ｃｈのチャンネルの放送情報の１つである放送局のロゴマーク情報を含む放送波を受信する。
第２の多重分離部７は受信信号からロゴマーク情報を取得し（ステップＳ２０８）、そのロゴマーク情報はシステム制御部２１によって記憶部２２のロゴマーク・メモリ２５に記憶される（ステップＳ２０９）。万一、停波などにより当該チャンネルの放送波が受信できない場合は、タイムアウトにより当該チャンネルの処理を終了することが望ましい。
【００３５】
次に、第２のチューナ部３はｃｈアップし（ステップＳ２１０）、１６ｃｈのチャンネルの選局を実行し、１６ｃｈのチャンネルの放送情報の１つである放送局のロゴマーク情報を含む放送波を受信する。
第２の多重分離部７は受信信号からロゴマーク情報を取得し（ステップＳ２０８）、そのロゴマーク情報はシステム制御部２１によって記憶部２２のロゴマーク・メモリ２５に記憶される（ステップＳ２０９）。
こうして、最後である２１ｃｈのチャンネルに対する番組情報取得のスキャンが終了したら（ステップＳ２１１）、第２のチューナ部３におけるロゴマーク情報取得のスキャンは終了する。
【００３６】
第３のチューナ部４も第２のチューナ部３と同様に、ステップＳ２１２〜ステップＳ２１７までの手順でロゴマーク情報取得のスキャンが行われる。この第３のチューナ部４の場合には、ｃｈ初期値は２８ｃｈで、最後のチャンネルは３５ｃｈである。
【００３７】
こうして２系統、即ち第２と第３の２つのチューナ部３、４のスキャンが終了した時点で、全体のロゴマーク情報取得のスキャンの動作が終了する（ステップＳ２１８）。
【００３８】
上述したように、ロゴマーク・データの未取得が認識された時、３系統のチューナ部の内、休止している系統があれば、ロゴマーク情報の取得を行う。複数のチューナ部が使用可能であれば、取得するべきチャンネルを分担することで、ロゴマーク情報取得動作を短時間で終了することができる。
【００３９】
実施の形態２．
図６はこの発明の実施の形態２のデジタル放送受信システムの構成を示すブロック図である。
図６において、本発明の実施の形態２において、本発明の実施の形態１と同様の構成は同一符号を付して重複した構成の説明を省略する。
この実施の形態２は、チューナ部が２系統のもので、複数の視聴者が異なるチャンネルを同時に視聴するのではなく、１つの表示部で１つのチャンネルの番組を視聴中に、他のチャンネルの番組（例えば、裏番組）を録画しておくことを目的に構成したものである。
【００４０】
この実施の形態２では、第１、第２多重分離部６、７と第１復号部１０との間に録再切換部２６が設けられている。この録再切換部２６は録画/再生の信号の流れを切換えると共に、第１のチューナ部２からの放送波の信号を復号部１０に流し、第２のチューナ部２からの放送波の信号を遮断する機能を有する。従って、第１の復号部１０だけが設けられ、実施の形態１におけるような第２の復号部１１は設けられてない。また、表示部１８も１つである。
録再切換部２６には放送の信号を記録・再生する記録部２７が接続されている。録再切換部２６及び記録部２７は録再制御部２８によって制御される。
【００４１】
この実施の形態２は、録再制御部２８により録再切換部２６が録画（記録）と設定した場合、例えば第１のチューナ部２が受信したあるチャンネルの番組情報が付加された放送波の放送内容を表示部１６で視聴するとき、第２のチューナ部３が受信した第１のチューナ部２とは別のチャンネルの番組情報が付加された放送波の放送内容は記録部２７に記録（録画）される。
【００４２】
また、録再制御部２８により録再切換部２６が再生と設定した場合には、第１のチューナ部２が受信した放送波の信号は復号部１０に流れないように遮断される。そして、録再制御部２８により記録部２７が動作させられ、記録部２７に記録（録画）された第２のチューナ部３が受信した放送波の放送内容が再生されて表示装置１６に表示されることとなる。
【００４３】
この実施の形態２でも、録再制御部２８により録再切換部２６が第２のチューナ部２からの放送波の信号を遮断するよう設定した場合には、第１のチューナ部２が受信した放送波の放送内容を表示部１６で視聴するときに、第２のチューナ部３及び第２の多重分離部７の系統が録画で使用されていないため、実施の形態１と同様に、選局のスキャンを行って必要なｃｈ情報、番組情報の取得及びロゴマークの取得の動作を行わせることができる。
また、表示部１８で番組の視聴を行わない場合には、第１及び第２のチューナ部２、３及び第１及び第２の多重分離部６、７によってそれぞれ実施の形態１と同様に、選局のスキャンを行って必要なｃｈ情報、番組情報及びロゴマークの取得の動作を行わせることができる。
【００４４】
上述したように、２系統のチューナ部があり、一方のチューナ部が受信した放送波の放送内容を表示部１８で表示して視聴し、他方のチューナ部が受信した放送波の放送内容を録画できるようにした場合に、他方のチューナ部が受信した放送波の放送内容を録画しないときには、他方のチューナ部が受信する放送波に基づいて選局のスキャンを行って必要なｃｈ情報、番組情報及びロゴマークの取得の動作を行わせることができる。
また、表示部１８で番組の視聴を行わない場合には、２系統のチューナ部及び多重分離部によってそれぞれ実施の形態１と同様に、選局のスキャンを行って必要なｃｈ情報、番組情報の取得及びロゴマークの取得の動作を行わせることができる。
図６では２系統のチューナ部を実装する例を示しているが、３系統以上を備えた受信システム装置では、より高速化の効果が期待できることは言うまでもない。
【産業上の利用可能性】
【００４５】
この発明の活用例として、デジタル放送受信機、特に裏番組の録画などに対応可能な高機能の受信機や、家庭内のホームサーバ的なデジタル放送受信機への適用が有効である。
【図面の簡単な説明】
【００４６】
【図１】この発明の実施の形態１のデジタル放送受信システムの構成を示すブロック図である。
【図２】同デジタル放送受信システムの記憶部の構成を示すブロック図である。
【図３】同デジタル放送受信システムにおけるチャンネル・スキャンの動作を示したフローチャートである。
【図４】同デジタル放送受信システムにおける番組情報取得の動作を示したフローチャートである。
【図５】同デジタル放送受信システムにおける放送局ロゴマーク・データ取得の動作を示したフローチャートである。
【図６】この発明の実施の形態２のデジタル放送受信システムの構成を示すブロック図である。
【符号の説明】
【００４７】
２  第１のチューナ部、３  第２のチューナ部、４  第３のチューナ部、５  選局制御部、６  第１の多重分離部、７  第２の多重分離部、８  第３の多重分離部、９  多重分離制御部、２１  システム制御部、２２  記憶部。
【図１】
2006025073.tif 000003
【図２】
2006025073.tif 000004
【図３】
2006025073.tif 000005
【図４】
2006025073.tif 000006
【図５】
2006025073.tif 000007
【図６】
2006025073.tif 000008